(57)【要約】      （修正有）【課題】手間をかけることなく、かつ低コストで表示面に記録された記録内容を保護することができるラベル、およびこのラベルを有するラベルシートを提供する。【解決手段】ラベル１０は、透明または半透明なものの外部に曝されていない裏面に貼り付けられて、外部から表示部２０を認識して使用されるものである。このラベルは、一方の面に接着剤層１６が形成された粘着シート１４と、粘着シートの接着剤層に積層された接着剤層に対して剥離性を有する記録シート１８とを有する。この記録シートに、情報が記録される所定形状の表示部と他の領域とを区画する切れ目Ｃが形成されており、記録シートのうち、切れ目を境に所定形状の表示部を残して他の領域の記録シートが剥がされると他の領域に接着剤層が表われ、略同一の平面上に残された表示部を透明または半透明なものの裏面に貼着保持できる。【選択図】図１
0003138752.tif 000002
【実用新案登録請求の範囲】
【請求項１】
透明または半透明なものの外部に曝されていない裏面に貼り付けられて、外部から表示部を認識して使用されるラベルであって、
一方の面に接着剤層が形成された粘着シートと、
前記粘着シートの接着剤層に積層され、前記接着剤層に対して剥離性を有する記録シートとを有し、
前記記録シートは、情報が記録される所定形状の表示部と他の領域とを区画する切れ目が形成されており、前記記録シートのうち、前記切れ目を境に前記所定形状の表示部を残して他の領域の記録シートが剥がされると該他の領域に前記接着剤層が表われ、略同一の平面上に残された表示部を前記透明または半透明なものの裏面に貼着保持できることを特徴とするラベル。
【請求項２】
前記表示部は、多角形、円、楕円、または星形状である請求項１に記載のラベル。
【請求項３】
前記表示部に記録される情報は、文字、記号または画像である請求項１または２に記載のラベル。
【請求項４】
一方の面に接着剤層が形成された粘着シートと、
前記粘着シートの接着剤層に積層され、前記接着剤層に対して剥離性を有する記録シートとを有し、
前記粘着シートおよび前記記録シートを一体的に所定の形状に分離するための第１の切れ目が、前記粘着シートおよび前記記録シートを貫通して形成されており、
前記第１の切れ目により前記所定の形状に区画されたラベル領域は、前記記録シートに、情報が記録される所定形状の表示部と他の領域とを区画する第２の切れ目が形成されており、
前記ラベル領域の前記記録シートのうち、前記第２の切れ目を境に前記所定形状の表示部を残して他の部分の記録シートが剥がされると該他の領域に前記接着剤層が表われ、略同一の平面上に残された表示部を前記透明または半透明なものの裏面に貼着保持できることを特徴とするラベルシート。
【請求項５】
前記表示部は、多角形、円、楕円、または星形状である請求項４に記載のラベルシート。
【請求項６】
前記表示部に記録される情報は、文字、記号または画像である請求項４または５に記載のラベルシート。
【考案の詳細な説明】
【技術分野】
【０００１】
本考案は、インクジェットプリンタ、レーザプリンタ、または手書き等により、表示面に文字、記号、画像などの情報が記録されるラベルおよびこのラベルを有するラベルシートに関し、特に、手間をかけることなく、かつ低コストで表示面に記録された記録内容を保護することができるラベル、およびこのラベルを有するラベルシートに関する。
【背景技術】
【０００２】
現在、裏面に粘着剤が塗布されたラベルの表面に、箱などの内容物を示す文字または記号などを、インクジェットプリンタ、レーザプリンタ、または手書き等により記録し、このラベルを箱の一面に貼り付けて、箱の内容物を表示している。
また、これ以外にも、書類をまとめて保管または収納するファイルにおいて、まとめた書類の内容を示す文字または記号などをラベルの表面に記録し、ラベルをファイルの表紙に貼り付けて、保管または収納する書類の内容を表示している。
このように、外観から中身が判断できない場合、その中身を表示するためにラベルが用いられている。
【０００３】
しかし、ラベルを、そのまま貼ったのでは、使用していくうちに、表面が擦れたりして、ラベルが剥がれたり、ラベルの印字が汚れてしまうという問題点ある。
そこで、図７（ａ）に示すように、例えば、箱の一面１００に、箱の中身を示した文字を表面１０２ａに記録したラベル１０２を貼り付け、そして、透明または半透明の樹脂フィルム１０４をラベル１０２の表面１０２ａを覆うにようにして貼り付けている。
図７（ｂ）に示すように、樹脂フィルム１０４を貼り付けることにより、ラベル１０２の表面１０２ａに記録された内容が分かるとともに、ラベル１０２が樹脂フィルム１０４により覆われるため、表面がこすられたりしてもラベルが剥がれることがなく、さらにはラベルの表面が保護されているため、印字が汚れてしまうこともない。
樹脂フィルム１０４を貼る以外にも、従来、透明シールの裏面に反転印刷を行って、印字面を保護するラベルが提案されている。
【考案の開示】
【考案が解決しようとする課題】
【０００４】
しかしながら、図７（ｂ）に示すように、ラベル１０２を覆うように樹脂フィルム１０４を貼り付ける場合、樹脂フィルム１０４が必要になるため、コストが嵩むという問題点がある。
また、ラベル１０２を、例えば、箱の一面１００に貼り付けた後、更に樹脂フィルム１０４を貼り付ける必要があり、手間がかかるという問題点がある。
さらに、透明シールの裏面に反転印刷を行って、印字面を保護するラベルにおいては、反転して印刷しなければならず、手間がかかるという問題点がある。また、文字を反転させる必要がある場合には、手書きでは容易にはできないという問題点もある。
【０００５】
本考案の目的は、前記従来技術に基づく問題点を解消し手間をかけることなく、かつ低コストで表示面に記録された記録内容を保護することができるラベル、およびこのラベルを有するラベルシートを提供することにある。
【課題を解決するための手段】
【０００６】
上記目的を達成するために、本考案の第１の態様は、透明または半透明なものの外部に曝されていない裏面に貼り付けられて、外部から表示部を認識して使用されるラベルであって、一方の面に接着剤層が形成された粘着シートと、前記粘着シートの接着剤層に積層され、前記接着剤層に対して剥離性を有する記録シートとを有し、前記記録シートは、情報が記録される所定形状の表示部と他の領域とを区画する切れ目が形成されており、前記記録シートのうち、前記切れ目を境に前記所定形状の表示部を残して他の領域の記録シートが剥がされると該他の領域に前記接着剤層が表われ、略同一の平面上に残された表示部を前記透明または半透明なものの裏面に貼着保持できることを特徴とするラベルを提供するものである。
【０００７】
本考案においては、前記表示部は、多角形、円、楕円、または星形状であることが好ましい。
また、本考案においては、前記表示部に記録される情報は、文字、記号または画像であることが好ましい。
【０００８】
本考案の第２の態様は、一方の面に接着剤層が形成された粘着シートと、前記粘着シートの接着剤層に積層され、前記接着剤層に対して剥離性を有する記録シートとを有し、前記粘着シートおよび前記記録シートを一体的に所定の形状に分離するための第１の切れ目が、前記粘着シートおよび前記記録シートを貫通して形成されており、前記第１の切れ目により前記所定の形状に区画されたラベル領域は、前記記録シートに、情報が記録される所定形状の表示部と他の領域とを区画する第２の切れ目が形成されており、前記ラベル領域の前記記録シートのうち、前記第２の切れ目を境に前記所定形状の表示部を残して他の部分の記録シートが剥がされると該他の領域に前記接着剤層が表われ、略同一の平面上に残された表示部を前記透明または半透明なものの裏面に貼着保持できることを特徴とするラベルシートを提供するものである。
【０００９】
本考案においては、前記表示部は、多角形、円、楕円、または星形状であることが好ましい。
また、本考案においては、前記表示部に記録される情報は、文字、記号または画像であることが好ましい。
【考案の効果】
【００１０】
本考案のラベルによれば、一方の面に接着剤層が形成された粘着シートと、この粘着シートの接着剤層に積層され、接着剤層に対して剥離性を有する記録シートとを有し、記録シートに、情報が記録される所定形状の表示部と他の領域とを区画する切れ目が形成されている。この記録シートのうち、切れ目を境に所定形状の表示部を残して他の領域の記録シートが剥がされるものとすることにより、該他の領域の記録シートが剥がされると、略同一平面に、表示部とその周囲に接着剤層が表われる。これにより、表示部に、例えば、インクジェットプリンタ、レーザプリンタ、または手書き等により、文字、記号、画像などを記録した後、透明または半透明なものの外部に曝されていない裏面に貼り付け、外部から表示部に記録された情報を視認して利用することができる。
このように、本考案のラベルは、透明または半透明なものの外部に曝される表面に、貼り付けるものではないため、表示部が擦られることがなくなり、印字が汚れることがなく、ラベルが剥がれることもない。
また、単に、外部に曝されていない裏面に貼り付けるだけであるため、透明または半透明な樹脂フィルムを貼る必要がなく、手間もコストもかからない。さらには、反転印刷を行う必要もないため、手間がかからない。
【００１１】
本考案のラベルシートによれば、情報が記録される所定形状の表示部を区画する第２の切れ目が記録シートに形成され、記録シートのうち、第２の切れ目を境に所定形状の表示部を残して他の部分の記録シートが剥がされるラベル領域を備える。このラベル領域は、本考案のラベルであり、本考案のラベルシートによれば、１つシートで複数の本考案のラベルを提供することができる。
【考案を実施するための最良の形態】
【００１２】
以下に、添付の図面に示す好適実施形態に基づいて、本考案のラベルシートを詳細に説明する。
図１（ａ）は、本考案の実施形態に係るラベルシートを示す模式図であり、（ｂ）は、図１（ａ）のＩ−Ｉ線による断面図である。
【００１３】
図１（ａ）に示すように、ラベルシート１０は、粘着シート１４（図１（ｂ）参照）と、接着剤層１６（図１（ｂ）参照）と、記録シート１８とを有する。
図１（ａ）に示すように、ラベルシート１０は、例えば、切れ目Ｃ（第１の切れ目）がラベルシート１０に対して直交して形成されている。この直交する切れ目Ｃにより、例えば、矩形状に区画されている。
この切れ目Ｃは、粘着シート１４（図１（ｂ）参照）および記録シート１８（図１（ｂ）参照）を一体的に、所定の形状、例えば、矩形状に分離するためのものであり、粘着シート１４および記録シート１８を貫通して形成されている。この切れ目Ｃは、例えば、ミシン目と呼ばれるものである。切れ目Ｃを境に、ラベル領域はラベルシート１０から切り離されて、ラベル１２となる。
本考案のラベルシート１０は、以下に説明する本考案のラベル１２を１つのシートで複数提供することができる。
【００１４】
粘着シート１４は、シート状のものであり、表面１４ａに接着剤層１６が形成されている。なお、粘着シート１４の裏面は、一般的な紙の表面であり、文字、記号、画像などを記録してもよい。
【００１５】
接着剤層１６は、粘着シート１４と記録シート１８とを接着させて一体的にするものである。この粘着剤層１６に用いる接着剤としては、例えば、後述する記録シート１８に対して仮接着性と剥離性とを有するものであれば、特に限定されるものではなく、公知の粘着剤を用いることができる。
【００１６】
記録シート１８は、シート状のものであり、粘着シート１４の接着剤層１６に積層されている。
記録シート１８は、インクジェットプリンタ、レーザプリンタ、または手書き等により、表面に文字、または記号により表わされる情報を、記録可能なものにより構成されている。
一方、記録シート１８は、その裏面が接着剤層１６に対して剥離性を有するものにより構成されている。
この記録シート１８としては、例えば、インクジェット印刷用紙などの紙、プラスチック、金属、およびこれらの複合体を用いることができる。
また、記録シート１８は、薄いものであり、この記録シート１８の一部を剥がし、接着剤層１６を露出させた場合でも、記録シート１８の剥がした部分（接着剤層１６）と記録シート１８の剥がしていない部分（記録シート１８）との差が小さく、略同一平面上と見なせる。
【００１７】
以下、本考案のラベル１２について説明する。
図２（ａ）は、本考案の実施形態に係るラベルを示す模式図であり、（ｂ）は、図２（ａ）のＩＩ−ＩＩ線による断面図である。
図３（ａ）は、本考案の実施形態に係るラベルの使用状態を示す模式図であり、（ｂ）は、図３（ａ）のＩＩＩ−ＩＩＩ線による断面図であり、（ｃ）は、本考案の実施形態に係るラベルを透明部材に貼り付けた状態を示す模式図である。
【００１８】
本考案のラベル１２は、透明または半透明なものの外部に曝されていない裏面に貼り付けられて、外部から表示部２０を認識して使用される。
ラベル１２は、ラベルシート１０（図１（ａ）参照）と同様に、粘着シート１４（図１（ｂ）参照）と、接着剤層１６（図１（ｂ）参照）と、記録シート１８（図１（ａ）参照）とを有するものである。
図２（ｂ）に示すように、ラベル１２は、粘着シート１４の表面１４ａに形成された接着剤層１６上に記録シート１８が積層されている。
ラベル１２においては、図２（ａ）に示すように、記録シート１８に、例えば、長方形状に表示部２０を区画する切れ目Ｌ（請求項１の切れ目、請求項２の第２の切れ目）が形成されている。この切れ目Ｌは、粘着シート１４の表面１４ａ迄達するものの、粘着シート１４を切断するものではない（図２（ｂ）参照）。この切れ目Ｌにより、長方形状の表示部２０と、その周辺部２２とに区画される。
【００１９】
表示部２０は、記録シート１８のうち、例えば、文字、記号、画像などの情報が記録されるものであり、後述する周辺部２２のように、剥がされることはない。
周辺部２２は、記録シート１８（記録シート１８の表示部２０を除く、他の領域）のうち、剥がされてしまう部分である。この周辺部２２は、表示部２０と色が異なっていてもよい。
また、切れ目Ｌは、例えば、記録シート１８を粘着シート１４に貼り付ける前に形成されてもよいし、貼り付けた後に形成されてもよい。
【００２０】
ラベル１２は、周辺部２２が剥離されると、図３（ａ）、（ｂ）に示すように、表示部２０が残り、表示部２０の周囲に接着剤層１６が表われる。上述のように、記録シート１８は薄いため、表示部２０は、接着剤層１６に対して、略同一の平面上に残されたものとなる。
ラベル１２は、例えば、表示部２０に、例えば、インクジェットプリンタ、レーザプリンタ、または手書き等により、文字、記号、画像などを記録した後、図３（ｃ）に示すように、外部に曝されていない透明部材２４の裏面２０ａに、ラベル１２の表示部２０を向けて接着剤層１６により貼り付けられる。これにより、透明部材２４を通して、透明部材２４の表面２４ｂに向う方向Ａ側からラベル１２の表示部２０に記録された文字、記号、画像などの情報を認識（視認）することができる。
なお、本考案のラベル１２は、外部から表示部２０に記録された情報を視認することができれば、半透明部材にも適用できる。
このように、本考案のラベル１２においては、周辺部２２を剥がして、接着剤層１６を露出させて透明部材２４の裏面２４ａに貼り付けるだけであるため、樹脂フィルムを貼るなどの手間がかからず、容易に貼り付けることができ、かつ透明または半透明な樹脂フィルムが不要であるため、コストも低減することができる。
【００２１】
また、本考案のラベル１２は、外部に曝される表面２４ｂに貼り付けるものではないため、表面２４ｂが、こすられてもラベル１２に接触しないため、ラベル１２が剥がれることがなく、さらには表示部２０の印字も、こすれて擦れたり、消えたりすることもない。
さらには、本考案のラベル１２では、表示部２０に通常に印字すればよく、反転して印字する必要もなく、手書きにより文字を記入する場合でも、容易に扱うことができる。
なお、本考案のラベル１２（ラベル領域）の外形状は、矩形に限定されるものではなく、多角形状、円、楕円、十字形状などであってもよい。
【００２２】
本考案のラベル１２においては、例えば、図４（ａ）に示すように、クリアファイル３０に用いて、クリアファイル３０に収納される書類の内容を表示することができる。
図４（ａ）に示すように、クリアファイル３０は、１枚の透明部材が半折されて２つの面３２、３４が形成され、面３２、３４の半折されて合わせられた辺ではない残りの２つの辺のうち、一方の辺３０ａが閉じられている。このように、クリアファイル３０は、略Ｌ字状に閉じられている。
【００２３】
この場合、ラベル１２の表示部２０に、クリアファイル３０の収納される書類の内容を示す、例えば、「会議用資料」と印刷するか、または手書きで記入する。
そして、周辺部２２を剥がして、「会議用資料」と記録された表示部２０を残し、表示部２０の周囲に接着剤層１６を露出させて、一方の面３４の裏面３４ａにラベル１２を貼り付ける。
これにより、図４（ｂ）に示すように、クリアファイル３０の一方の面３４の表面３４ｂから表示部２０に記録された「会議用資料」の文字が認識され、例えば、会議用資料がクリアファイル３０に収納されていることが認識できる。
【００２４】
この場合、クリアファイル３０の面３４の裏面３４ａにラベル１２が貼り付けられているため、例えば、擦れることがなく、ラベル１２が剥がれることもなく、表示部２０の印字に何ら影響を与えることがない。また、透明または半透明な樹脂フィルムが不要であるため、コストも低減することができる。
【００２５】
本考案のラベル１２は、クリアファイル３０に用いる以外にも、例えば、図５（ａ）に示す引出し４２が２段ある収納箱４０に用いることができる。この収納箱４０は、例えば、衣類を収納するものである。
各引出し４２は、取手４４が付いており、この取手４４が表面４６ａに設けられた正面部材４６が透明な部材により構成されている。
【００２６】
各引出し４２に、例えば、セータを収納する場合、ラベル１２の表示部２０に、例えば、「セータ」と、印刷または手書きにより記録する。そして、表示部２０を残し、かつ周辺部２２を剥がして、図５（ｂ）に示すように、正面部材４６の裏面４６ｂにラベル１２を貼り付ける。
これにより、図５（ａ）に示すように、引出し４２の正面部材４６の表面４６ａから表示部２０に記録された「セータ」の文字が認識され、例えば、セータが引出し４２に収納されていることが認識できる。
このように、ラベル１２を正面部材４６の裏面４６ｂから貼り付けることにより、例えば、セータを取り出す際に、取手４４を介して引出し４２を引き出しても、ラベル１２に接触することはない。このため、例えば、擦れることがなく、また、ラベル１２が剥がれることもないため、表示部２０の印字に何ら影響がない。透明または半透明な樹脂フィルムが不要であるため、コストも低減することができる。
【００２７】
なお、本考案のラベル１２において、表示部２０を長方形状としたが、本考案は、これに限定されるものではない。図６（ａ）〜（ｇ）に示すように、各種ものが利用可能である。
例えば、図６（ａ）に示すラベル１２ａのように、三角形状の表示部５０ａ、図６（ｂ）に示すラベル１２ｂのように、角部が円弧に形成された矩形状の表示部５０ｂ、図６（ｃ）に示すラベル１２ｃのように、六角形状の表示部５０ｃ、図６（ｄ）に示すラベル１２ｄのように、十字形状の表示部５０ｄ、図６（ｅ）に示すラベル１２ｅのように、楕円形状の表示部５０ｅ、図６（ｆ）に示すラベル１２ｆのように、星形状の表示部５０ｆなどである。
さらには、図６（ｇ）に示すラベル１２ｇのように、矩形状の表示部５０ｇが、複数離間して配置されてものであってもよい。
また、図６（ｈ）に示すラベル１２ｈのように、矩形状の表示部５０ｈが、対向する２辺がラベル１２ｈの縁まで達するものであってもよい。
【００２８】
以上、本考案のラベルおよびラベルシートについて詳細に説明したが、本考案は、上記実施形態に限定はされず、本考案の要旨を逸脱しない範囲において、各種の改良および変更を行ってもよいのは、もちろんである。
【図面の簡単な説明】
【００２９】
【図１】（ａ）は、本考案の実施形態に係るラベルシートを示す模式図であり、（ｂ）は、図１（ａ）のＩ−Ｉ線による断面図である。
【図２】（ａ）は、本考案の実施形態に係るラベルを示す模式図であり、（ｂ）は、図２（ａ）のＩＩ−ＩＩ線による断面図である。
【図３】（ａ）は、本考案の実施形態に係るラベルの使用状態を示す模式図であり、（ｂ）は、図３（ａ）のＩＩＩ−ＩＩＩ線による断面図であり、（ｃ）は、本考案の実施形態に係るラベルを透明部材に貼り付けた状態を示す模式図である。
【図４】（ａ）および（ｂ）は、本考案の実施形態に係るラベルの第１の適用例を示す模式図である。
【図５】（ａ）および（ｂ）は、本考案の実施形態に係るラベルの第２の適用例を示す模式図である。
【図６】（ａ）〜（ｈ）は、本考案の実施形態に係るラベルの変形例を示す模式図である。
【図７】（ａ）は、従来のラベルの貼り付け方法を示す模式図であり、（ｂ）は、従来のラベルの使用状態を示す模式図である。
【符号の説明】
【００３０】
１０  ラベルシート
１２、１２ａ〜１２ｇ  ラベル領域、ラベル
１４  粘着シート
１６  接着剤層
１８  記録シート
２０、５０ａ〜５０ｇ  表示部
２２  周辺部
２４  透明部材
３０  クリアファイル
４０  収納箱
【図１】
0003138752.tif 000003
【図２】
0003138752.tif 000004
【図３】
0003138752.tif 000005
【図４】
0003138752.tif 000006
【図５】
0003138752.tif 000007
【図６】
0003138752.tif 000008
【図７】
0003138752.tif 000009